(57)【要約】【課題】  上階で発生した重量床衝撃音などが間仕切壁を通って下階に伝播することを抑制できる、間仕切壁の取付構造と、これを備えた建物を提供することにある。【解決手段】  間仕切壁１の取付構造であって、上下階でなる建物Ｔの下階の居室L１，L２を仕切る間仕切壁１が、下階天井C１との間に防振材２を介在させて取り付けられていることを特徴とする。【選択図】  図１
2006152683.tif 000002
【特許請求の範囲】
【請求項１】
上下階でなる建物の下階の居住空間を仕切る間仕切壁が、下階天井との間に防振材を介在させて取り付けられていることを特徴とする間仕切壁の取付構造。
【請求項２】
上下階でなる建物の上階の居住空間を仕切る間仕切壁が、上階床との間に防振材を介在させて取り付けられていることを特徴とする間仕切壁の取付構造。
【請求項３】
下階または上階の少なくともいずれか一方の間仕切壁が、間仕切り位置を移動可能な可動間仕切壁であることを特徴とする請求項1または２記載の間仕切壁の取付構造。
【請求項４】
防振材が，防振ゴムまたは潤滑オイルを内蔵した防振マウントで形成されていることを特徴とする請求項1〜３のいずれか1項記載の間仕切壁の取付構造。
【請求項５】
請求項1〜4のいずれか1項に記載の間仕切壁の取付構造を備えていることを特徴とする建物。
【発明の詳細な説明】
【技術分野】
【０００１】
本発明は、上階床の衝撃音を低減できる間仕切壁の取付構造と、これを備えた建物に関する。
【背景技術】
【０００２】
従来、内部に騒音及び振動の発生源を収容する構築物において、その構築物から外部への騒音を防止する防音壁の防振支持構造が、特許文献１に記載されて知られている。この防音壁の防振支持構造は、構築物と防音壁を形成する遮音パネルとの間に、遮音パネルの荷重を一対の弾性材で受け止める弾性支持機構を設けたものである。
【特許文献１】特許第３４７８７６６号公報
【発明の開示】
【発明が解決しようとする課題】
【０００３】
しかしながら、上記特許文献１記載のような従来技術にあっては、構築物から外部への騒音を防止する防音壁の防振支持構造であるから、外部に対する騒音は確実に抑制できるが、構築物内部において、上階で発生した重量床衝撃音などが下階に伝播することを抑制するものではなかった。特に、従来の建物においては、上階または下階に設置した間仕切壁が床衝撃音による振動を上階から下階に伝播させ、防音性能を悪化させるという問題があった。
【０００４】
本発明の課題は、上階で発生した重量床衝撃音などが間仕切壁を通って下階に伝播することを抑制できる、間仕切壁の取付構造と、これを備えた建物を提供することにある。
【課題を解決するための手段】
【０００５】
請求項１記載の発明は、間仕切壁の取付構造であって、上下階でなる建物の下階の居住空間を仕切る間仕切壁が、下階天井との間に防振材を介在させて取り付けられていることを特徴とする。
【０００６】
請求項２記載の発明は、間仕切壁の取付構造であって、上下階でなる建物の上階の居住空間を仕切る間仕切壁が、上階床との間に防振材を介在させて取り付けられていることを特徴とする。
【０００７】
請求項３記載の発明は、請求項１または２記載の間仕切壁の取付構造であって、下階または上階の少なくともいずれか一方の間仕切壁が、間仕切り位置を移動可能な可動間仕切壁であることを特徴とする。
【０００８】
請求項４記載の発明は、請求項１〜３のいずれか１項記載の間仕切壁の取付構造であって、防振材が，防振ゴムまたは潤滑オイルを内蔵した防振マウントで形成されていることを特徴とする。
【０００９】
請求項５記載の発明は、請求項１〜４のいずれか１項に記載の間仕切壁の取付構造を備えていることを特徴とする建物である。
【発明の効果】
【００１０】
請求項１記載の発明によると、下階の居住空間を仕切る間仕切壁が、下階天井との間に防振材を介在させて取り付けられているので、上階で発生した重量床衝撃音などが間仕切壁を通って下階に伝播することを抑制でき、快適な居住環境を実現できる。
【００１１】
請求項２記載の発明によると、上階の居住空間を仕切る間仕切壁が、上階床との間に防振材を介在させて取り付けられているので、上階で発生した重量床衝撃音などが間仕切壁を通って下階に伝播することを抑制でき、快適な居住環境を実現できる。
【００１２】
請求項３記載の発明によると、さらに、下階または上階の少なくともいずれか一方の間仕切壁が、間仕切り位置を移動可能な可動間仕切壁であるので、好みや必要に応じて自由な間取りにできる。
【００１３】
請求項４記載の発明によると、さらに、防振材が，防振ゴムまたは潤滑オイルを内蔵した防振マウントで形成されているので、重量床衝撃音などの伝播を確実に抑制できる。
【００１４】
請求項５記載の発明によると、さらに、請求項１〜４のいずれか１項に記載の間仕切壁の取付構造を備えているので、重量床衝撃音などの伝播を抑制した快適な居住環境を有する建物にできる。
【発明を実施するための最良の形態】
【００１５】
図１〜図４は、本発明の一実施の形態であって、図１は図２のＸ−Ｘ線における間仕切壁の断面図である。図２は建物の１階部分の平面図である。図３は図１のＡ部を拡大した断面図である。また、図４は防振材の別の例を示す断面図である。
【００１６】
本実施の形態において、図２に示す建物Ｔは、２階建てのユニット方式の建物であって、階段部は図示省略している。１階部分に４つの建物ユニットＵをその長辺側を突き合わせるようにして隣接配置し(図２参照)、２階部分には同じサイズの建物ユニットＵを１階部分の建物ユニットＵの上に搭載して構築されている(後述の図６参照)。この建物Ｔの１階部分においては、図２に示すように、北側(図２において上側)の西側（図２において左側）に２個の建物ユニットＵにまたがってサニタリーＳを配置し、東側（図２において右側）とサニタリーＳの南側に２個の建物ユニットＵにまたがってキッチンＫを配置し、南側(図２において下側)に２個の建物ユニットＵにまたがり間仕切壁１で仕切られた居室Ｌ１，Ｌ２を配置している。サニタリーＳとキッチンＫとで建物ユニットＵの約２個半を占めている。又、居室Ｌ１，Ｌ２で建物ユニットＵの約１個半を占めている。
【００１７】
本実施の形態の間仕切壁１の取付構造は、図１に示すように、建物Ｔの１階の居室Ｌ１，Ｌ２を仕切る間仕切壁１が、下階天井Ｃ１との間に防振材２を介在させて取り付けられている。この居室Ｌ１，Ｌ２を仕切る間仕切壁１は、複数に分割された長方形の壁パネルで形成されており、１階床Ｆ１と１階天井Ｃ１との間に複数枚設置され、防振材２は隣接する間仕切壁１，１にまたがるように配置されている。
【００１８】
上記間仕切壁１の取付構造において、間仕切壁１は、間仕切り位置を移動可能な可動間仕切壁である。移動を容易にするため、床面または天井面にレール等を設置するようにしてもよい。
【００１９】
上記間仕切壁１の取付構造に使用する防振材２は，図３に示すような防振ゴムで形成されているが、図４に示すような潤滑オイル(シリコーンオイル)を内蔵した防振マウント２０で形成されていてもよい。防振ゴムで形成された防振材２は、図３に示すように、間仕切壁１と接する面に突起が形成され、音の通り道をできるだけ小さくしている。防振マウント２０も図４に示すように突起のある同様の構造になされているが、箱型の中空ケース２１の下部に防振ゴム２２を取り付けて密閉され、密閉ケースの内部にシリコーンオイル２３が充填されている。
【００２０】
上記のように構成された本実施の形態の間仕切壁１の取付構造によると、以下のような作用効果がある。
【００２１】
（１）１階の居室Ｌ１，Ｌ２を仕切る間仕切壁１が、１階天井Ｃ１との間に防振材２を介在させて取り付けられているので、２階で発生した重量床衝撃音などが間仕切壁１を通って１階に伝播することを抑制でき、快適な居住環境を実現できる。具体的には、重量床衝撃音を５ｄＢＡ低減できた。
【００２２】
（２）さらに、間仕切壁１が、間仕切り位置を移動可能な可動間仕切壁であるので、好みや必要に応じて自由な間取りにできる。
【００２３】
（３）さらに、防振材２が，防振ゴムまたはシリコーンオイル２３を内蔵した防振マウント２０で形成されているので、重量床衝撃音などの伝播を確実に抑制できる。
【００２４】
図５〜図７は、本発明の別の実施の形態であって、図５は図６のＸ−Ｘ線における間仕切壁の断面図である。図６は建物の２階部分の平面図である。図７は図５のＢ部を拡大した断面図である。本実施の形態において、前記実施の形態と同じものは同符号を付けて説明を省略し、異なるものは別符号を付けて説明する。
【００２５】
本実施の形態において、建物Ｔの２階部分においては、図６に示すように、北側(図６において上側)に３個の建物ユニットＵにまたがって居室Ｌ５を配置し、南側(図６において下側)に２個の建物ユニットＵにまたがる間仕切壁１で仕切られた居室Ｌ３，Ｌ４を配置している。又、居室Ｌ５で建物ユニットＵの約２個半を占めている。又、居室Ｌ３，Ｌ４で建物ユニットＵの約１個半を占めている。
【００２６】
本実施の形態の間仕切壁１の取付構造は、図５に示すように、建物Ｔの２階の居室Ｌ３，Ｌ４を仕切る間仕切壁１が、２階床Ｆ２との間に防振材２を介在させて取り付けられている。この居室Ｌ３，Ｌ４を仕切る間仕切壁１は、前記実施の形態と同様、複数に分割された長方形の壁パネルで形成されており、２階床Ｆ２と２階天井Ｃ２との間に複数枚設置され、防振材２は隣接する間仕切壁１，１の下端部にまたがるように配置されている。
【００２７】
上記間仕切壁１の取付構造において、間仕切壁１は、前記実施の形態と同様、間仕切り位置を移動可能な可動間仕切壁である。移動を容易にするため、床面または天井面にレール等を設置するようにしてもよい。
【００２８】
上記間仕切壁１の取付構造に使用する防振材２は，図７に示すような防振ゴムで形成されているが、図４に示したような潤滑オイル(シリコーンオイル)を内蔵した防振マウント２０で形成されていてもよい。防振ゴムで形成された防振材２は、図７に示すように、間仕切壁１の下端面と接する上面に突起が形成され、音の通り道をできるだけ小さくしている。
【００２９】
上記のように構成された本実施の形態の間仕切壁１の取付構造によると、以下のような作用効果がある。
【００３０】
（１）２階の居室Ｌ３，Ｌ４を仕切る間仕切壁１が、２階床Ｆ２との間に防振材２を介在させて取り付けられているので、２階で発生した重量床衝撃音などが間仕切壁１を通って１階に伝播することを抑制でき、快適な居住環境を実現できる。具体的には、重量床衝撃音を５ｄＢＡ低減できた。
【００３１】
（２）さらに、間仕切壁１が、間仕切り位置を移動可能な可動間仕切壁であるので、好みや必要に応じて自由な間取りにできる。
【００３２】
（３）さらに、防振材２が，防振ゴムまたはシリコーンオイル２３を内蔵した防振マウント２０で形成されているので、重量床衝撃音などの伝播を確実に抑制できる。
【産業上の利用可能性】
【００３３】
快適な居住環境を実現でき、２階建て以上の戸建住宅や集合住宅としての利用価値が高い。
【図面の簡単な説明】
【００３４】
【図１】本発明の一実施の形態であって図２のＸ−Ｘ線における間仕切壁の断面図。
【図２】建物の１階部分の平面図。
【図３】図１のＡ部を拡大した断面図。
【図４】防振材の別の例を示す断面図。
【図５】図６のＸ−Ｘ線における間仕切壁の断面図。
【図６】図６は建物の２階部分の平面図。
【図７】図７は図５のＢ部を拡大した断面図。
【符号の説明】
【００３５】
１  間仕切壁
２  防振材
２０  防振マウント
Ｔ  建物
Ｃ１  １階天井
Ｆ２  ２階床
【図１】
2006152683.tif 000003
【図２】
2006152683.tif 000004
【図３】
2006152683.tif 000005
【図４】
2006152683.tif 000006
【図５】
2006152683.tif 000007
【図６】
2006152683.tif 000008
【図７】
2006152683.tif 000009